(57)【要約】【課題】電子化された文書の作成・出力を支援できる情報処理システム、端末装置、及びプログラムを提供する。【解決手段】端末装置２はサーバ側装置１から配信対象文書情報を受信する。端末装置２は当該受信した配信対象文書情報を、端末装置２に固有に設定されている暗号鍵情報を用いて暗号化処理し、当該暗号化した配信対象文書情報を記憶する。端末装置２は認証情報とともに入力される指示に応じて、記憶している配信対象文書情報を、認証情報を用いて復号し、復号に成功した場合に当該復号した配信対象文書情報を提示する。【選択図】図１
2014199999.tif 000002
【特許請求の範囲】
【請求項１】
サーバ側装置と、端末装置とを含む情報処理システムであって、
前記サーバ側装置は、
ユーザから文書の要素情報を受信する受信手段と、
端末装置の機種と、要素情報の種類とに応じて、要素情報の形式を特定する形式特定情報を保持する保持手段と、
前記要素情報をユーザからの指示に従って配置し、文書情報を生成する文書情報生成手段と、
前記生成した文書情報に含まれる要素情報の各々を、その要素情報の種類と、配信先の端末装置の機種とに応じて前記保持手段に保持された形式特定情報で特定される形式に変換し、配信先の端末装置の機種に対応した形式の配信対象文書情報を生成する変換手段と、
当該変換した配信対象文書情報を、当該配信対象文書情報が対応する機種の端末装置へ配信する配信手段と、
を含み、
前記端末装置は、前記サーバ側装置から配信対象文書情報を受信する受信手段と、
当該受信した配信対象文書情報を、端末装置に固有に設定されている暗号鍵情報を用いて暗号化処理する暗号化手段と、
前記暗号化した配信対象文書情報を記憶する記憶手段と、
認証情報とともに入力される指示に応じて、前記記憶している配信対象文書情報を、前記認証情報を用いて復号し、復号に成功した場合に当該復号した配信対象文書情報を提示する提示手段と、
を含む情報処理システム。
【請求項２】
サーバ側装置から配信対象文書情報を受信する受信手段と、
当該受信した配信対象文書情報を、端末装置に固有に設定されている暗号鍵情報を用いて暗号化処理する暗号化手段と、
前記暗号化した配信対象文書情報を記憶する記憶手段と、
認証情報とともに入力される指示に応じて、前記記憶している配信対象文書情報を、前記認証情報を用いて復号し、復号に成功した場合に当該復号した配信対象文書情報を提示する提示手段と、
を含む端末装置。
【請求項３】
請求項２記載の端末装置であって、
前記配信対象文書情報は、複数の配信対象文書情報部分を含み、
前記提示手段は、復号した配信対象文書情報を提示するとともに、予め定められた配信対象文書情報部分を表示したときには、所定の操作が行われるまで他の配信対象文書情報部分の提示を制限する端末装置。
【請求項４】
コンピュータを、
サーバ側装置から配信対象文書情報を受信する受信手段と、
当該受信した配信対象文書情報を、端末装置に固有に設定されている暗号鍵情報を用いて暗号化処理する暗号化手段と、
前記暗号化した配信対象文書情報を記憶する記憶手段と、
認証情報とともに入力される指示に応じて、前記記憶している配信対象文書情報を、前記認証情報を用いて復号し、復号に成功した場合に当該復号した配信対象文書情報を提示する提示手段と、
として機能させるプログラム。
【発明の詳細な説明】
【技術分野】
【０００１】
本発明は、文書の生成、配信、提示を行う情報処理システム、それに含まれる端末装置、及びプログラムに関する。
【背景技術】
【０００２】
近年ではネットワークを介して業者間でデータのやり取りを行うことが多くなっている。このことは印刷等文書を作成する業界においても同様であり、こうした業態にあわせ、複数の業者が関係する印刷業務を支援するシステムが存在する（特許文献１）。
【０００３】
一方、文書を印刷するのではなく、電子化してタブレット端末等で閲覧可能にすることも広く行われるようになってきている。
【先行技術文献】
【特許文献】
【０００４】
【特許文献１】特開２００５−０９４２６１号公報
【発明の概要】
【発明が解決しようとする課題】
【０００５】
しかしながら、文書を電子化する場合、端末装置側の機種ごとに、表示・再生可能な形式のデータが異なる場合がある。また、電子化された文書は、容易に閲覧・複写・転送等できる場合が多く、秘匿したい部分を含む文書の保護等が要望されている。
【０００６】
本発明は上記実情に鑑みて為されたもので、電子化された文書の作成・出力を支援できる情報処理システム、端末装置、及びプログラムを提供することを、その目的の一つとする。
【課題を解決するための手段】
【０００７】
上記従来例の問題点を解決するための本発明は、サーバ側装置と、端末装置とを含む情報処理システムであって、前記サーバ側装置は、ユーザから文書の要素情報を受信する受信手段と、端末装置の機種と、要素情報の種類とに応じて、要素情報の形式を特定する形式特定情報を保持する保持手段と、前記要素情報をユーザからの指示に従って配置し、文書情報を生成する文書情報生成手段と、前記生成した文書情報に含まれる要素情報の各々を、その要素情報の種類と、配信先の端末装置の機種とに応じて前記保持手段に保持された形式特定情報で特定される形式に変換し、配信先の端末装置の機種に対応した形式の配信対象文書情報を生成する変換手段と、当該変換した配信対象文書情報を、当該配信対象文書情報が対応する機種の端末装置へ配信する配信手段と、を含み、前記端末装置は、前記サーバ側装置から配信対象文書情報を受信する受信手段と、当該受信した配信対象文書情報を、端末装置に固有に設定されている暗号鍵情報を用いて暗号化処理する暗号化手段と、前記暗号化した配信対象文書情報を記憶する記憶手段と、認証情報とともに入力される指示に応じて、前記記憶している配信対象文書情報を、前記認証情報を用いて復号し、復号に成功した場合に当該復号した配信対象文書情報を提示する提示手段と、を含むこととしたものである。
【０００８】
また本発明の一態様は、端末装置であって、サーバ側装置から配信対象文書情報を受信する受信手段と、当該受信した配信対象文書情報を、端末装置に固有に設定されている暗号鍵情報を用いて暗号化処理する暗号化手段と、前記暗号化した配信対象文書情報を記憶する記憶手段と、認証情報とともに入力される指示に応じて、前記記憶している配信対象文書情報を、前記認証情報を用いて復号し、復号に成功した場合に当該復号した配信対象文書情報を提示する提示手段と、を含むこととしたものである。
【０００９】
ここで前記配信対象文書情報は、複数の配信対象文書情報部分を含み、前記提示手段は、復号した配信対象文書情報を提示するとともに、予め定められた配信対象文書情報部分を表示したときには、所定の操作が行われるまで他の配信対象文書情報部分の提示を制限することとしてもよい。
【００１０】
さらに本発明の別の態様に係るプログラムは、コンピュータを、サーバ側装置から配信対象文書情報を受信する受信手段と、当該受信した配信対象文書情報を、端末装置に固有に設定されている暗号鍵情報を用いて暗号化処理する暗号化手段と、前記暗号化した配信対象文書情報を記憶する記憶手段と、認証情報とともに入力される指示に応じて、前記記憶している配信対象文書情報を、前記認証情報を用いて復号し、復号に成功した場合に当該復号した配信対象文書情報を提示する提示手段と、として機能させることとしたものである。
【発明の効果】
【００１１】
本発明によると、電子化された文書の作成・出力を支援できる。
【図面の簡単な説明】
【００１２】
【図１】本発明の実施の形態に係る情報処理システムの構成例を表すブロック図である。
【図２】本発明の実施の形態に係るサーバ装置が保持する設定情報の例を表す説明図である。
【図３】本発明の実施の形態に係るサーバ装置の例を表す機能ブロック図である。
【図４】本発明の実施の形態に係る端末装置の例を表す機能ブロック図である。
【発明を実施するための形態】
【００１３】
本発明の実施の形態について図面を参照しながら説明する。本発明の実施の形態に係る情報処理システムは、図１に例示するように、互いにネットワークを介して接続されるサーバ側装置１と、端末装置２とを含む。なお、図１の例では端末装置２を一つだけ図示しているが、本実施の形態はこれに限られず、さらに多数の端末装置２が含まれてもよい。また、図１に例示するように、ユーザ側ＰＣ３がサーバ側装置１にはネットワークを介して通信可能に接続されていてもよい。
【００１４】
図１に例示したように、サーバ側装置１は、制御部１１、記憶部１２及び通信部１３を含んで構成され、端末装置２は、制御部２１、記憶部２２、操作部２３、出力部２４、及び通信部２５を含んで構成される。
【００１５】
ここでサーバ側装置１の制御部１１は、ＣＰＵ等のプログラム制御デバイスであり、記憶部１２に格納されたプログラムに従って動作する。本実施の形態ではこの制御部１１は、ユーザ側ＰＣ３のユーザから、電子的文書の要素となる、テキストや画像、マルチメディアデータ（音声や動画像等）などの文書の要素情報を受信する。またこの制御部１１は、各要素情報をユーザ側ＰＣ３のユーザからの指示に従って配置し、文書情報を生成する。
【００１６】
制御部１１は、文書の配信先となる端末装置２の機種（具体的な端末装置２の製品を特定する情報でもよいし、端末装置２のオペレーティングシステム及びそのバージョン情報であってもよい）と、要素情報の種類との組み合わせに応じて、要素情報の形式を特定する形式特定情報を読み出して、生成した文書情報に含まれる要素情報の各々を配信先の端末装置の機種に対応した形式の情報に変換し、配信先の端末装置の機種に対応した形式の配信対象文書情報を生成する。そして制御部１１は、変換した配信対象文書情報を、当該配信対象文書情報に対応する機種の端末装置２へ配信する。この制御部１１の詳しい動作については後に述べる。
【００１７】
記憶部１２は、メモリデバイス等であり、制御部１１によって実行されるプログラムを保持する。このプログラムはＤＶＤ−ＲＯＭなどのコンピュータ可読な記録媒体に格納されて提供され、この記憶部１２に格納されたものであってもよい。
【００１８】
本実施の形態のある例では、この記憶部１２は、文書の配信先となる端末装置２の機種と、要素情報の種類との組み合わせに応じて、要素情報の形式を特定する少なくとも一つの形式特定情報（図２）を保持する。具体的に図２の例では、端末装置２のある機種Ａでは、動画像情報がＭＰＥＧ（Motion Picture Exports Group）形式に変換されるべきであり、静止画像はＪＰＥＧ（Joint Picture Experts Group）やＰＮＧ等のいずれかに変換されるべきことが示され、また端末装置２の別の機種Ｂでは、動画像情報は、ＪＰＥＧ形式の静止画像に変換されるべきことが示されている。また本実施の形態ではこの記憶部１２は制御部１１のワークメモリとしても動作する。
【００１９】
通信部１３は、ネットワークインタフェース等であり、ネットワークを介してサーバ側装置１宛に送信された情報を受信して制御部１１に出力する。またこの通信部１３は、制御部１１から入力される指示に従い、当該制御部１１の指示した宛先に対してネットワークを介して情報を送出する。
【００２０】
端末装置２は、例えばパーソナルコンピュータやタブレット端末、携帯電話端末等である。この端末装置２の制御部２１は、ＣＰＵ等のプログラム制御デバイスであり、記憶部２２に格納されたプログラムに従って動作する。本実施の形態ではこの制御部２１は、サーバ側装置１から配信対象文書情報を受信すると、当該受信した配信対象文書情報を、端末装置２側に固有な暗号鍵情報（予め設定されている）を用いて暗号化処理して記憶部２２に格納する。
【００２１】
またこの制御部２１は、端末装置２の操作者の指示操作に応じて記憶部２２に格納した配信対象文書情報を読み出す。そして当該配信対象情報の復号鍵となる認証情報の入力を受けて、記憶している配信対象文書情報を、当該認証情報を用いて復号する。
【００２２】
制御部２１は、ここで復号に成功した場合に、当該復号した配信対象文書情報を端末装置２の操作者に提示する。本実施の形態の一例では、配信対象文書情報は複数のページ（配信対象文書情報部分）を含んでもよく、操作者は、端末装置２の操作部２３を介して制御部２１に対して、所望のページを提示するよう指示操作を行う。そして制御部２１は当該指示操作に応じて配信対象文書情報部分の提示のための処理を実行する。この制御部２１の動作については後に詳しく述べる。
【００２３】
記憶部２２は、メモリデバイス等であり、制御部２１によって実行されるプログラムを保持する。このプログラムはＤＶＤ−ＲＯＭなどのコンピュータ可読な記録媒体に格納されて提供され、この記憶部２２に格納されたものであってもよい。また本実施の形態ではこの記憶部１２は制御部１１のワークメモリとしても動作し、また配信対象文書情報を記憶する記憶手段としても機能する。
【００２４】
操作部２３は、タッチパネルや、テンキー、ボタン、マウス等種々の入力デバイスのいずれか、またはその任意の組み合わせを含む。この操作部２３は、操作者の指示操作を受け入れて、当該指示操作の内容を制御部２１に出力する。
【００２５】
出力部２４は、ディスプレイデバイスや音声鳴動デバイス等を含む。この出力部２４は、制御部２１から入力される指示に従って配信対象情報の画像を表示出力し、また配信対象情報に含まれる音声を鳴動する。
【００２６】
通信部２５は、ネットワークインタフェース等であり、ネットワークを介して端末装置２宛に送信された情報を受信して制御部２１に出力する。またこの通信部２５は、制御部２１から入力される指示に従い、当該制御部２１の指示した宛先に対してネットワークを介して情報を送出する。
【００２７】
次に、本実施の形態の制御部１１の動作について説明する。本実施の形態の制御部１１は、図３に例示するように、機能的には、受信部３１と、文書情報生成部３２と、配信指示受入部３３と、変換処理部３４と、文書情報保持部３５と、配信処理部３６とを含んで構成される。なお、以下の例において、制御部１１は予めユーザ側ＰＣ３のユーザを、ユーザ名やパスワードの照合等により認証しておくものとする。
【００２８】
ここで受信部３１は、ユーザ側ＰＣ３から文書の要素情報のアップロードを受け入れる。ここで要素情報は電子的文書の要素となる情報であり、文字列を含むテキスト、ＪＰＥＧ等の予め定めた形式で生成された静止画像情報、ＭＰＥＧ等の予め定めた形式で生成された動画像情報（音声情報を含んでもよい）等の情報である。受信部３１は、これらの情報を受信すると、当該入力された要素情報を、ユーザ側ＰＣ３のユーザを特定する情報（予め認証して得ておく）に関連付けて記憶部１２に格納する。
【００２９】
文書情報生成部３２は、ユーザ側ＰＣ３からのアクセスを受けて、当該ユーザ側ＰＣ３のユーザを認証する。本実施の形態の一例として文書情報生成部３２は、当該認証したユーザを特定する情報に関連付けられた要素情報の一覧と、要素情報が配置されることなるページ画像とをユーザ側ＰＣ３に対して提示する。そして文書情報生成部３２は、ユーザ側ＰＣ３からページ画像上での各要素情報の配置位置の指定を受け入れ、当該指定された配置位置に指定された要素情報を配して文書情報に含める各ページ（配信対象文書情報部分）を生成する。この動作は動的なウェブサイトを提供する技術（ＨＴＭＬ５など）を用いて実現できるので、ここでの詳細な説明を省略する。
【００３０】
文書情報生成部３２は、ユーザ側ＰＣ３のユーザから生成した文書情報を保存して終了する旨の指示を受け入れると、その時点までに生成した文書情報を記憶部１２に格納して処理を終了する。
【００３１】
配信指示受入部３３は、ユーザ側ＰＣ３のユーザ、または端末装置２の操作者から、文書の配信先となる端末装置２を特定する情報（例えば当該端末装置２のネットワークアドレスでよい）と、当該端末装置２の機種を表す情報と、配信の対象とする文書情報を特定する情報とを受け入れる。この配信指示受入部３３は、当該受け入れた端末装置２の機種を表す情報に関連付けられた、配信対象文書情報が記憶部１２に格納されているか否かを調べる。そして受け入れた端末装置２の機種を表す情報に関連付けられた、配信対象文書情報が記憶部１２に格納されていれば、当該配信対象文書情報と、文書の配信先となる端末装置２を特定する情報とを配信処理部３６に出力する。
【００３２】
またこの配信指示受入部３３は、受け入れた端末装置２の機種を表す情報に関連付けられた、配信対象文書情報が記憶部１２に格納されていなければ、変換処理部３４に対して受け入れた端末装置２の機種を表す情報と、配信の対象とする文書情報を特定する情報とを出力して変換処理を実行させる。配信指示受入部３３は、変換処理部３４から変換が完了した旨の情報を受け入れると、端末装置２の機種を表す情報に関連付けられて配信対象文書情報が記憶部１２に格納されている配信対象文書情報と、文書の配信先となる端末装置２を特定する情報とを配信処理部３６に出力する。
【００３３】
変換処理部３４は、端末装置２の機種を表す情報と、配信の対象とする文書情報を特定する情報との入力を受けて、当該配信の対象となった文書情報を記憶部１２から読み出して、当該文書情報に含まれる各文書要素について、それぞれの種類（テキスト、静止画像情報、動画像情報等の別）を調べる。そして変換処理部３４は、配信の対象となった文書情報に含まれる各文書要素について、その種類と、受け入れた情報で特定される配信先の端末装置２の機種との組み合わせに関連付けられた、各要素情報の形式を特定する形式特定情報を記憶部１２から読み出す。
【００３４】
変換処理部３４は、配信の対象となった文書情報に含まれる各文書要素について、それぞれの文書要素の種類に応じて読み出した形式特定情報で特定される形式となっているか否かを判断する。ここで、判断の対象とした文書要素の形式が、当該文書要素の種類に応じて読み出した形式特定情報で特定される形式に含まれていれば、変換処理部３４は、当該要素情報をそのままとする。また、判断の対象とした文書要素の形式が、当該文書要素の種類に応じて読み出した形式特定情報で特定される形式に含まれていなければ、変換処理部３４は、当該文書要素の形式を、当該文書要素の種類に応じて読み出した形式特定情報で特定される形式（複数の形式が特定されている場合はそのいずれか、例えば予めデフォルトとして定められた形式としてもよい）に変換する。一例として図２に示した設定を用いて説明すると、配信先となった端末装置２の機種がＢであるとして、配信の対象となった文書情報にＭＰＥＧの動画像情報が含まれているとする。このとき変換処理部３４は、図２に例示した設定から、機種Ｂ及び動画像情報の組み合せに対応する情報で特定される形式が、ＪＰＥＧ形式の静止画像であることを見出す。そして変換処理部３４は、配信の対象となった文書情報に含まれるＭＰＥＧの情報に基づき、予め定めた方法でＪＰＥＧ形式の静止画像を生成する。具体的な例としては、ＭＰＥＧの情報のうち、最初に見出されたＩフレームの画像を取りだし、当該Ｉフレームの画像をＪＰＥＧ形式に変換する。そして変換前のＭＰＥＧの動画像情報が配されていた位置に、当該変換後のＪＰＥＧ画像を配置する。
【００３５】
変換処理部３４は、文書情報に含まれる各文書要素に対してこの処理を実行し、配信先の機種に応じた配信対象文書情報を生成して、文書の配信先となる端末装置２の機種を表す情報とともに文書情報保持部３５に出力する。また、この変換処理部３４は、変換が完了した旨の情報を配信指示受入部３３に出力する。
【００３６】
文書情報保持部３５は、変換処理部３４が出力する配信対象文書情報を、変換処理部３４から受け入れた配信先の端末装置２の機種を表す情報に関連付けて記憶部１２に格納して保持する。配信処理部３６は、配信対象文書情報と、文書の配信先となる端末装置２を特定する情報とを受け入れると、記憶部１２に格納されている配信対象文書情報を読み出して、受け入れた情報で特定される端末装置２へ送出する。
【００３７】
本実施の形態のサーバ側装置１は、以上の構成を備えているので、例えば端末装置２側からその機種を表す情報と、要求する配信対象文書情報を特定する情報とを受け入れると、当該端末装置２の機種に対応して生成された配信対象文書情報を、当該端末装置２に対して配信する。
【００３８】
また端末装置２の制御部２１は、図４に例示するように、文書情報受信部４１と、文書情報保持部４２と、文書情報提示部４３とを含んで構成される。ここで文書情報受信部４１は、サーバ側装置１から配信対象文書情報を受信し、文書情報保持部４２に出力する。そして文書情報保持部４２は、サーバ側装置１から入力された配信対象文書情報を記憶部２２に格納する。本実施の形態では、この文書情報保持部４２は、端末装置に固有に設定されている暗号鍵情報を用いて暗号化処理し、当該暗号化した配信対象文書情報を記憶部２２に格納する。なお、ここで暗号鍵情報は、予め端末装置２側において定めておくものとする。
【００３９】
文書情報提示部４３は、端末装置２の操作者から認証情報（上記暗号鍵情報に対応する復号鍵）の入力を受け入れる。またこの文書情報提示部４３は、記憶部２２に格納した配信対象文書情報を読み出すべき旨の指示を受けて、指示された配信対象文書情報を記憶部２２から読み出す。文書情報提示部４３は入力された認証情報を用いて、当該読み出した配信対象情報の復号を試みる。そして配信対象情報の復号に成功した場合、当該復号した配信対象文書情報を提示する。
【００４０】
本実施の形態の一例では、配信対象文書情報は複数のページ（配信対象文書情報部分）を含んでもよい。この場合操作者は、端末装置２の操作部２３を操作して所望のページを提示するよう指示操作を行う。そして文書情報提示部４３は、当該指示操作に応じて配信対象文書情報部分に含まれる文書要素を表示する。
【００４１】
本実施の形態は以上の構成を備えてなり、次のように動作する。本実施の形態の情報処理システムは、例えば企業の製品カタログ等を客先に提示するといった用途を支援する。具体的に本実施の形態の一例では、マンション等の販売業務におけるカタログ提示に利用できる。
【００４２】
具体的にカタログを作成するユーザは、マンションのカタログとして例えばＪＰＥＧで作成した外観写真や、３ＤＭＬＷ（3D Markup Language for Web）を用いて作成したウオークスルームービー（視線方向の画像を表示するもの）、説明のテキスト等の要素情報を作成しておく。そしてこのユーザはユーザ側ＰＣ３を用いてサーバ側装置１による認証を受ける。ここでの認証は例えば予め定めたユーザ名とパスワードとを入力することで行われる。ユーザは、ユーザ側ＰＣ３を操作して、作成した要素情報をアップロードする。
【００４３】
サーバ側装置１では、ユーザ側ＰＣ３から受信した要素情報を、ユーザ名に関連付けて格納する。また、サーバ側装置１は、ユーザ側ＰＣ３から配信対象文書情報の作成指示を受けて、要素情報の一覧と、要素情報が配置されることなるページ画像とをユーザ側ＰＣ３に対して提示する。サーバ側装置１は、さらにユーザ側ＰＣ３から配置位置の指定を受け入れ、当該指定された配置位置に指定された要素情報を配する。ユーザは、各ページ画像にそれぞれ要素情報を配して文書情報を生成し、文書情報を保存して終了する旨の指示を行う。サーバ側装置１は、この指示を受けてその時点までに生成した文書情報を格納する。
【００４４】
サーバ側装置１は、例えば文書の配信先となる端末装置２から、当該端末装置２を特定する情報と、当該端末装置２の機種を表す情報と、配信の対象とする文書情報を特定する情報とを受け入れると、当該受け入れた端末装置２の機種を表す情報に関連付けられた、配信対象文書情報を記憶しているか否かを調べる。ここで配信対象文書情報が記憶されていなければ、サーバ側装置１は、配信の対象とする文書情報に含まれる各文書要素について、それぞれの種類（テキスト、静止画像情報、動画像情報等の別）を調べる。ここでは、ＪＰＥＧや、３ＤＭＬＷ、テキスト等の種類の情報が含まれていることが検出される。サーバ側装置１は、これら各文書要素の種類と、受け入れた情報で特定される配信先の端末装置２の機種との組み合わせに関連付けられた、各要素情報の形式を特定する形式特定情報を読み出す。一例として、ここでの例では、端末装置２は、ＪＰＥＧやテキストは表示可能であるが、３ＤＭＬＷには対応せず、類似のフォーマットとしてＶＲＭＬ（Virtual Reality Modeling Language）に対応するものとする。この場合、要素情報の種類「ウオークスルームービー」と当該端末装置２の機種との組に対して要素情報の形式として「ＶＲＭＬ」が関連付けられていることとなる。
【００４５】
サーバ側装置１は、この情報を参照して、配信の対象となった文書情報に含まれる文書要素のうち、３ＤＭＬＷにて記述されているウオークスルームービーを、ＶＲＭＬ形式のものに変換する。この変換処理については広く知られた方法を採用できるため、ここでの詳しい説明を省略する。
【００４６】
サーバ側装置１は、こうして配信先の端末装置２の機種に応じた配信対象文書情報を生成して、文書の配信先となる端末装置２の機種を表す情報に関連付けて保持する。また、ここでの例では、端末装置２からの要求を受けているので、サーバ側装置１は、当該生成した配信対象文書情報を要求元の端末装置２へと送信する。
【００４７】
端末装置２では、サーバ側装置１から当該配信対象文書情報を受信すると、端末装置２側で固有に設定されている暗号鍵情報を用いて暗号化処理し、当該暗号化した配信対象文書情報を格納する。
【００４８】
そして端末装置２は操作者から認証情報として復号鍵情報の入力を受け入れる。そして端末装置２は操作者に指示された配信対象文書情報を読み出して、入力された復号鍵情報を用いた復号を試みる。ここで配信対象情報の復号に成功した場合、端末装置２は、当該復号した配信対象文書情報を提示する。ここでは配信対象文書情報に含まれるＪＰＥＧ画像やテキストの表示や、ＶＲＭＬで記述されたウオークスルームービーの再生が行われることとなる。
【００４９】
またここまでの説明においてサーバ側装置１から端末装置２への配信対象文書情報の配信は暗号化して行われてもよい。具体的に配信対象文書情報の配信を求められたサーバ側装置１は、ＺＩＰファイルとして配信対象文書情報をアーカイブし、このアーカイブしたデータをＨＴＴＰＳ等を用いるなどした暗号通信方法により端末装置２に対して送信してもよい。この場合、端末装置２はＺＩＰファイルから配信対象文書情報を取り出し、改めて自己に固有に設定された暗号鍵情報を用いた暗号化を行う。
【００５０】
さらにここで暗号化はデータ全体に行う必要は必ずしもない。端末装置２は受信した配信対象文書情報を任意の位置で分割し、分割したデータの一方のみを、固有に設定された暗号鍵情報を用いて暗号化し、当該暗号化した一方側と、暗号化していない他方側とを記憶してもよい。この場合端末装置２は、操作者から復号鍵情報が入力されると、当該復号鍵情報を用いて、上記分割したデータの一方側を復号する。そして復号に成功したならば、当該復号して得たデータの部分と、上記分割したデータの他方側とを連接するなどしてもとの配信対象文書情報を再生し、提示処理に供する。
【００５１】
さらに本実施の形態においては、上述の通り配信対象文書情報が複数の配信対象文書情報部分（ページ等、配信対象文書情報に含まれる情報の単位）を含む。そこで配信対象文書情報を生成するユーザは、その配信対象文書情報部分の一部について、当該配信対象文書情報部分が表示された場合には、予め定めた操作が行われるまで他の配信対象文書情報部分を表示しないよう制御する設定を行ってもよい。
【００５２】
一例として、上記予め定めた操作を「予め設定したパスワードを入力する操作」であるとする。このときには例えばユーザは、全体で５ページの文書情報を生成する際に、その一部である４，５ページ目について、当該ページの表示中に他のページ（１，２，３ページ目のいずれか）を表示する操作を行ったときには、パスワードの入力を求めることとするよう設定し、またこのとき入力するべきパスワードを入力して設定する。サーバ側装置１では、４，５ページ目がかかるページ（以下、「保護対象部分」と呼ぶ）であることを表す管理情報を文書情報に付加するととともに、当該管理情報に、入力されたパスワードを含めておく。
【００５３】
またサーバ側装置１は、この文書情報から配信対象文書情報を生成する際には、当該生成する配信対象文書情報にも当該管理情報を複写して含める。
【００５４】
端末装置２では、この管理情報を含んだ配信対象文書情報を受信すると、ページの移動（現在表示されているページとは異なるページを表示する操作）が行われたときに、管理情報を参照し、表示されているページが保護対象部分として設定されており、かつ移動先のページ（表示指示されたページ）が保護対象部分として設定されていない、との条件を満足するか否かを調べる。そして端末装置２は、この条件が満足されていなければ、表示指示されたページの配信対象文書情報部分を表示する。また端末装置２は、上記の条件が満足されていれば、他の配信対象文書情報部分である、表示指示されたページの画像の提示を制限する。具体的には端末装置２は、操作者に対してパスワードの入力を求める。ここで操作者がパスワードを入力すると、端末装置２は、管理情報に含まれるパスワードと操作者が入力したパスワードとを比較し、これらが一致していなければ、現在のページの表示を継続する（表示指示されたページの表示を行わない）。
【００５５】
一方、ここで端末装置２が、管理情報に含まれるパスワードと操作者が入力したパスワードとが一致すると判断すると、端末装置２は、表示指示されたページの表示を行う。
【００５６】
この例によると、例えば料金条件のように顧客に自由に閲覧されるべきでない情報と、ウオークスルームービーのように顧客に自由に閲覧させたい情報とが混在する配信対象部分情報において、ウオークスルームービー等顧客に自由に閲覧させたい情報を含み、顧客に自由に閲覧されるべきでない情報を含まないページを保護対象部分として設定しておけばよい。このようにすれば、ウオークスルームービーを表示させた状態で顧客に端末装置２の操作を任せても、料金条件等のように顧客に自由に閲覧されるべきでない情報を含んだページを表示する操作が誤って行われたとしても、顧客が通常知り得ないパスワードの入力が求められるので、かかる顧客に自由に閲覧されるべきでない情報が意図せず表示されることがなくなる。
【００５７】
またここでの例では保護対象部分として設定した配信対象文書情報部分から、保護対象部分として設定されていない部分へ移動する際に必要な操作として、パスワードの入力を求める操作としたが、本実施の形態はこれに限らず、例えば上記ウオークスルームービーで表示される画像上に予め設定したポイントをタップないしクリックする操作としてもよい。
【００５８】
本実施の形態によると、端末装置２の機種を問わず、電子化された文書の作成・出力が支援される。また端末装置２における電子化された文書の閲覧時の利便性、並びに、誤操作に対するセキュリティを向上できる。
【符号の説明】
【００５９】
１  サーバ側装置、２  端末装置、３  ユーザ側ＰＣ、１１，２１  制御部、１２，２２  記憶部、１３，２５  通信部、２３  操作部、２４  出力部、３１  受信部、３２  文書情報生成部、３３  配信指示受入部、３４  変換処理部、３５  文書情報保持部、３６  配信処理部、４１  文書情報受信部、４２  文書情報保持部、４３  文書情報提示部。
【図１】
2014199999.tif 000003
【図２】
2014199999.tif 000004
【図３】
2014199999.tif 000005
【図４】
2014199999.tif 000006